(57)【特許請求の範囲】
【請求項１】
本体と、上流側から供給される温水、不凍液、流体熱媒または蒸気等の流体を前記本体に導入する流体導入部と、前記本体に導入された流体を分岐して排出する分岐部と、を備えたヘッダーであって、
前記本体、流体導入部及び分岐部は、樹脂により一体成形されてなり、前記本体は、前記流体導入部及び分岐部とは別の開口を備えた開口部を有し、当該開口部に、前記開口を密閉可能な樹脂製キャップを着脱可能に設け、
前記樹脂製キャップは、前記開口内に収容されて、当該開口を密閉する栓部と、当該栓部を挟んだ両側に形成された係合部から構成されてなり、
前記開口部には、前記樹脂製キャップが前記本体の円周方向に動くことを阻止する壁部と、前記係合部が着脱可能に係合する段部と、当該段部の前記開口側に配設され、前記樹脂製キャップが前記開口部に装着される際に前記係合部をガイドする傾斜面と、が形成されてなり、当該壁部は、前記係合部の外周形状に相補した形状を有してなるヘッダー。
【発明の詳細な説明】
【０００１】
【発明が属する技術分野】
本発明は、ヘッダーに係り、特に、外部から供給された温水、不凍液、流体熱媒または蒸気等の流体を分岐して、任意の配管に供給するヘッダーに関する。
【０００２】
【従来の技術】
従来から、暖房器具や温水器等のように、温水、不凍液、流体熱媒や蒸気等で代表される流体を、外部の供給源から複数の配管に分岐する目的で、ヘッダーが使用されている。このヘッダーは、前記流体を内部に取り入れるための流体導入部と、内部に供給された流体を分岐して、所望の配管に排出するための分岐部とを有しており、例えば、Ｆ形分岐ヘッダーやＵ形ヘッダーとして知られている。
【０００３】
このヘッダーは、例えば、温水器のように、流体として水道水を使用する場合、水道水中に含有される残留塩素に対する耐薬品性があること、高温の水道水中に溶存する酸素による酸化劣化に対する耐性があること、温水中での加水分解に対する耐性があること、水圧（７ｋｇ／ｃｍ2（１０〜１５ｋｇ））に対して変形しない機械的強度があること、ウオーターハンマー現象に耐えうる耐衝撃性があること、の５つの条件を満足することが望まれている。
【０００４】
また、床暖房等の暖房器具のように、温水を循環させる場合には、前述した条件を必ずしも満たす必要はないが、不凍液や流体熱媒等に対する耐薬品性等が必要となる。
【０００５】
このため、前記ヘッダーは、ヘッダー本体及び分岐部を真鍮や銅等の金属から構成し、このヘッダー本体と分岐部をろう付けによって接続したものが使用されている。
【０００６】
このヘッダーは、金属を加工して製造するため高価であると共に、重量がかさむという欠点がある。また、形状設計に自由度がないため、このヘッダーに付加機能を盛り込む場合は、別の部品を二次加工によって追加する必要がある。このため、さらに製造コストがかかることになる。そしてまた、前記ろう付け部分から流体が漏れる虞もある。さらに、配管が樹脂の場合、樹脂と金属が接触するため、樹脂の劣化が促進される。また、真鍮や銅などの金属製ヘッダーの場合、腐食により、温水経路が塞がれてしまうこともある。
【０００７】
そこで、安価で、加工がし易く、軽量である樹脂によって、ヘッダーを形成することが考えられている。この場合には、ヘッダー本体と分岐部とを超音波や高周波の振動溶着によって接続したり、接着剤によって接続することが行われている。
【０００８】
【発明が解決しようとする課題】
しかしながら、ヘッダー本体と分岐部とを、超音波や高周波の振動溶着、あるいは接着剤によって接続したヘッダーは、水漏れ等の不良発生時にリサイクルすることが困難であるという問題がある。
【０００９】
さらに、例えば、前記ヘッダーと、これに連結される配管との固定は、これらとは別部品の固定クリップ等を使用して行われており、作業効率が悪く、別部品のためコストも高く、また前記部品を紛失することもある。さらに、付け忘れも予想される。
【００１０】
本発明は、このような従来の問題点を解決することを課題とするものであり、加工性に優れ、安価で軽量であることは勿論のこと、機械的強度及び耐衝撃性が向上し、かつ現場での作業性に優れると共にリサイクルが可能であり、水漏れのない信頼性の高いヘッダーを提供することを目的とする。
【００１１】
【課題を解決するための手段】
この目的を達成するため、本発明は、本体と、上流側から供給される温水、不凍液、流体熱媒または蒸気等の流体を前記本体に導入する流体導入部と、前記本体に導入された流体を分岐して排出する分岐部と、を備えたヘッダーであって、前記本体、流体導入部及び分岐部は、樹脂により一体成形されてなり、前記本体は、前記流体導入部及び分岐部とは別の開口を備えた開口部を有し、当該開口部に、前記開口を密閉可能な樹脂製キャップを着脱可能に設けたヘッダーを提供するものである。
【００１２】
この構造を備えたヘッダーは、該ヘッダーを成形加工により得る際に、前記開口を金型の引抜き用の穴として使用することができる。このため、本体と流体導入部及び分岐部を一体成形することが可能となる。これは、特に、例えば、流体導入部及び分岐部を、各１個づつ備えたＵ形ヘッダーの一体成形を可能にする。
【００１３】
前記開口は、前記本体の長手方向端部に形成することができる。
【００１４】
また、前記開口部に段部を設け、前記キャップに前記段部に着脱可能に係合する係合部を設けることができる。
【００１５】
さらにまた、前記キャップに段部を設け、前記開口部に前記段部に着脱可能に係合する係合部を設けることもできる。
【００１６】
また、前記流体導入部及び分岐部の少なくとも一方に、これに連結される継手に形成された段部に着脱可能に係合する係合部を設けることもできる。
【００１７】
そしてまた、前記流体導入部及び分岐部の少なくとも一方に、これに連結される継手に形成された係合部が係合する段部を設けることもできる。
【００１８】
前記係合部は、前記段部に係合する係合爪をその先端に有し、当該係合爪が前記段部を越える際に、当該段部から離れる方向に弾性的に後退し、当該係合爪が前記段部を越えると復元して前記段部に係合する構造を備えることができる。
【００１９】
このような段部及び係合部を設けることで、前記キャップは開口部に、継手は流体導入部あるいは分岐部に、ワンタッチで確実に固定される。このため、作業効率が向上されると共に、固定用の別部品を用いる必要もない。さらに、付け忘れも防止できる。
【００２０】
また、キャップや継手等は確実に固定されるため、第三者によって簡単に外されることを防止することができる。また、前記固定の際に「カチッ」という音がするので、聴覚による認識も可能である。
【００２１】
また、前記開口部には、前記キャップを螺合することもできる。
【００２２】
さらにまた、前記開口部は、前記キャップを外した際に、他の継手と連結して第２の分岐部としての役割を果たすこともできる。
【００２３】
なお、本発明でいう分岐は、２分岐、３分岐、４分岐など、その分岐数は任意に設定することができる。
【００２４】
【発明の実施の形態】
次に、本発明の実施の形態に係るヘッダーについて図面を参照して説明する。
【００２５】
（実施の形態１）
図１は、床暖房システムの床暖房マットに、実施の形態１に係るヘッダーを使用した状態を模式的に示す平面図、図２は、図１に示すＵ形ヘッダーの側面図であって、キャップを外した状態の図、図３は、図２に示すＵ形ヘッダーの開口部にキャップを装着した状態を示す側面図、図４は、図２及び図３に示すキャップの平面図、図５は、図２に示すＶ−Ｖ線に沿った断面図、図６は、図３に示すVI−VI線に沿った一部断面図、図７は、実施の形態１に係る継手の平面図、図８は、図２に示すＵ形ヘッダーの開口部に、図７に示す継手を装着した状態を示す側面図、図９は、図２に示すＵ形ヘッダーの分岐部に継手を連結した状態を示す側面図、図１０は、図９に示す継手の正面図、図１１は、図１に示すＦ形分岐ヘッダーの側面図である。
【００２６】
図１に示す床暖房システム１は、温水供給源２と、この温水供給源２から供給された温水を通過させる温水通路３（配管）が内蔵された６枚の床暖房マット４Ａ〜４Ｆと、床暖房マット４Ａ〜４Ｆから最終的に排出された温水を再び温水供給源に戻す配管５と、を備えている。
【００２７】
床暖房マット４Ａ〜４Ｆは、一般的に市販されているものを使用可能であるため、その詳細な説明は省略するが、実施の形態１では、９００ｍｍ×９００ｍｍサイズのものを使用した。
【００２８】
温水供給源２側（すなわち上流側）に配置された２枚の床暖房マット４Ａ及び４Ｄは、Ｆ形分岐ヘッダー１０によって、温水供給源２に連通されている。また、配管５側（すなわち下流側）に配置された床暖房マット４Ｃ及び４Ｆも、Ｆ形分岐ヘッダー１０によって、配管５に連通されている。
【００２９】
一方、床暖房マット４Ａ、４Ｂ及び４Ｃは、Ｕ形ヘッダー１１によって互いに連通されている。また、床暖房マット４Ｄ、４Ｅ及び４ＦもＵ形ヘッダー１１によって互いに連通されている。
【００３０】
Ｕ形ヘッダー１１は、例えば、ＰＡ、ＰＯＭ、ＰＰ、ＰＢＴ、ＰＰＳ等の樹脂から構成され、本体１２と、本体１２に一体成形された流体導入部１３と、本体１２に一体成形された分岐部１４と、本体１２の開口部１５に着脱可能に装着されるキャップ１６と、を備えて構成されている。
【００３１】
本体１２は中空管からなり、その一端の略垂直方向に流体導入部１３が立設され、他端の略垂直方向に分岐部１４が、流体導入部１３に対して並設されている。本体１２の他端には、開口部１５が形成されており、この端面が開放された状態、すなわち、開口１８となっている。
【００３２】
流体導入部１３は、本体１２側の径に比べ、先端側の径が細く構成された円筒中空状の管部２１からなり、管部２１の本体１２側であって、管部２１を挟んだ両側には、流体導入部１３に接続される継手７０（図９及び図１０参照）のフランジ７１に着脱可能に係合し、継手７０をこの部分に固定する係合部２２が形成されている。係合部２２は、管部２１の先端側に向けて延びた腕の先端に鉤状の係合爪２６が形成されている。この係合部２２は、後に詳述するが、流体導入部１３に継手７０が連結される際、係合爪２６が継手７０のフランジ７１を越える時に、フランジ７１から離れる方向（図９に矢印Ｘで示す方向）、すなわち外側に弾性的に後退し、係合爪２６がフランジ７１を越えると復元してフランジ７１に係合する（図９参照）よう構成されている。
【００３３】
管部１２の長手方向の略中央部には、フランジ２３が形成されている。また、管部２１の先端と、管部２１の径が細い部分の略中央部には、フランジ２４及び２５が形成されている。このフランジ２４及び２５は、管部２１の太い径と同様の径を有しており、流体導入部１３に継手７０を連結させた際には、フランジ２４とフランジ２５の間、及びフランジ２５と管部２１の径が太い部分の先端との間に、例えば図示しないＯリングのようなシール部材を介在させることもでき、両者の密閉性をより向上させることができる。
【００３４】
なお、Ｕ形ヘッダー１１では、流体導入部１３と分岐部１４とは、流体を導入するか、排出するかの違いはあるが、その構造は同一である。このため、分岐部１４は、流体導入部１３と同様の部材に同一の符号を付し、その詳細な説明は省略する。
【００３５】
また、本体１２の開口部１５の両側面には、キャップ１６を係合・固定する係合段部３１が形成されている。この係合段部３１は、開口１８側に傾斜面３２が形成されており、これによって、後に詳述するが、キャップ１６の係合部４０の先端に形成された係合爪４１（図４〜図６参照）がガイドされ、キャップ１６の取り付けを容易にしている。この開口部１５は、Ｕ形ヘッダー１１を前述した樹脂によって成形する成形時に、金型を引抜くための穴として使用することができる。このため、本体１２、流体導入部１３及び分岐部１４を一体成形することが可能となる。したがって、従来のヘッダーのように、水漏れ等が発生することを防止することができる。なお、本体１２の開口１８に対向する端面は、閉鎖された状態となっている。
【００３６】
また、開口部１５には、キャップ１６が本体１２の円周方向に動くことを阻止する壁部４５が、係合部４０の外周形状に相補した形状で形成されている。すなわち、キャップ１６がＵ形ヘッダー１１に取り付けられた際には、係合部４０が壁部４５によって包囲された状態となる。
【００３７】
キャップ１６は、開口部１５の開口１８内に収容されて、開口１８を密閉する栓部４２と、この栓部４２を挟んだ両側に形成された係合部４０から構成されている。
【００３８】
栓部４２は、略円筒形を備えており、その先端及び長手方向略中央部にフランジ４３及び４４が形成されている。このフランジ４３及び４４は、開口１８の内径とほぼ同一の径を備えており、キャップ１６をＵ形ヘッダー１１に取り付ける際には、図６に示すように、フランジ４３とフランジ４４の間、及びフランジ４４と栓部４２の基端との間に、例えば、Ｏリング８０のようなシール部材を介在させ、より密閉性を向上させることもできる。
【００３９】
係合部４０は、栓部４２の先端方向に向けて延びた腕の先端に鉤状の係合爪４１が形成されている。この係合部４０は、後に詳述するが、Ｕ形ヘッダー１１にキャップ１６が取り付けられる際、係合爪４１が傾斜面３２に沿ってガイドされ、開口部１５の係合段部３１を越える時に、係合段部３１から離れる方向、すなわち外側に弾性的に後退し、係合爪４１が係合段部３１を越えると復元して係合段部３１に係合するよう構成されている。したがって、キャップ１６は、Ｕ形ヘッダー１１の開口部１５に対して押し込むだけで、ワンタッチに取り付けることができ、他の固定部品も使用する必要がない。さらに、前記係合を行う際には、「カチッ」という音がするので、聴覚でも固定を認識することができる。
【００４０】
また、一端連結されたキャップ１６は、素手で簡単に外すことができないため、第三者が誤って、キャップ１６をＵ形ヘッダー１１またはＦ形分岐ヘッダー１０から取り外すというトラブルの発生も防止することができる。
【００４１】
一方、継手７０としては、様々な形状のものを利用することが可能であるが、実施の形態１では、図９及び図１０に示すように、略Ｌ字状の継手７０を使用した。この継手７０は、一方の端部に、Ｕ形ヘッダー１１に連結される連結部７２が形成されている。この連結部７２は、その内径が、流体導入部１３のフランジ２４及び２５とほぼ同一の大きさを有しており、この連結部７２の先端にフランジ７１が形成されている。
【００４２】
また、継手７０の反対側の端部には、配管側連結部７３が形成されている。この配管側連結部７３は、中空の略円筒形からなり、先端側（Ｕ形ヘッダー１１から遠い側）から基端側に向けて径が若干大きくなる形状７６が３つ連続した先端部を有している。この形状７６によって、段状の係止部７７が形成され、この係止部７７の存在により、配管側連結部７３に連結される配管チューブ等の抜け止めがなされるようになっている。
【００４３】
なお、Ｕ形ヘッダー１１の流体導入部１３及び分岐部１４に継手７０を連結した際には、図９に示すように、フランジ２３とフランジ７１とが当接し、係合部４０によって両者は確実に固定される。
【００４４】
Ｆ形分岐ヘッダー１０は、Ｕ形ヘッダー１１の開口１８と対向した面端が開放されており、この部分に、流体導入部５１が一体成形されている以外は、Ｕ形ヘッダー１１と同様の構成を備えている。
【００４５】
Ｆ形分岐ヘッダー１０の流体導入部５１は、図１１に示すように、先端側（開口部１５から遠い側）から基端側に向けて径が若干大きくなる形状５６が３つ連続した先端部を有している。この形状５６によって、段状の係止部５７が形成され、この係止部５７の存在により、流体導入部５１に連結される配管チューブ等の抜け止めがなされるようになっている。
【００４６】
なお、このＦ形分岐ヘッダー１０では、Ｕ形ヘッダー１１で流体導入部１３として扱った部材は、分岐部１４となる。
【００４７】
次に、このＵ形ヘッダー１１及びＦ形分岐ヘッダー１０を前述した床暖房システム１に組み込む場合、先ず、流体導入部１３及び分岐部１４に継手７０を連結させる。すなわち、継手７０の連結部７２を流体導入部１３及び分岐部１４に押し込むと、係合部２２の先端に形成された係合爪２６が継手７０のフランジ７１に圧接する。さらに継手７０を押し込むと、フランジ７１は、係合爪２６を外側に押し、係合爪２６に形成された斜面に沿ってガイドされ、さらに係合爪２６を外側に押圧する。これによって、係合部２２が弾性的に外側に後退し、係合爪２６がフランジ７１を超えて、このフランジ７１はフランジ２３に当接する。この時、係合部２２は、弾性的に復元して、元の位置に戻り、フランジ７１に係合する。このように、継手７０は、Ｕ形ヘッダー１１及びＦ形分岐ヘッダー１０に簡単にワンタッチで連結される。また、従来使用されていたクリップ等の固定部品を使用する必要もない。このため、狭い作業現場であっても、作業効率を大幅に向上することができる。また、一端連結された継手は、素手で簡単に外すことができないため、第三者が誤って、継手をヘッダーから取り外すというトラブルの発生も防止することができる。
【００４８】
また、上流側に設けられたＦ形分岐ヘッダー１０の流体導入部５１は、温水供給源２に連結された配管に連結され、２つの分岐部１４は、床暖房マット４Ａ及び４Ｄの温水通路３に、前述した方法で、継手７０を介してそれぞれ連結されて、温水供給源２から供給された温水を床暖房マット４Ａ及び４Ｄの温水通路３に分岐して流す。一方、下流側に設けられたＦ形分岐ヘッダー１０の２つの分岐部１４は、それぞれ、同様に継手７０を介して、床暖房マット４Ａ及び４Ｄの温水通路３に連結され、この温水通路３から供給された温水を流体導入部５１から配管５に排出する。なお、この場合には、流体導入部５１が流体排出部に、分岐部１４が流体導入部の役割を果たすことになる。
【００４９】
また、Ｕ形ヘッダー１１は、前記と同様に継手７０を介して、流体導入部１３が上流側に配置された温水通路３に、分岐部１４が下流側に配置された温水通路３に各々連結され、上流の温水通路３から供給された温水を、下流の温水通路３に供給する。
【００５０】
なお、キャップ１６は、図２〜図６に記載したものの他、例えば、図７及び図８に示すように、継手としての機能を付加したキャップ１１６としてもよい。この付加される継手の径は、任意に決定することができ、本体１２に様々な径の継手を取付けることが可能となる。
【００５１】
このキャップ１１６は、キャップ１６に、他の配管等と連結する連結部１２０を形成した形状を備えている。このキャップ１１６は、フランジ４３とは反対側の端面に、この端面側からＫフランジ４３側に向けて径が若干大きくなる形状１２６が３つ連続した先端部を有している。この形状１２６によって、段状の係止部１２７が形成され、この係止部１２７の存在により、連結部１２０に連結される配管チューブ等の抜け止めがなされるようになっている。
【００５２】
なお、このキャップ１１６は、Ｆ形分岐ヘッダー１０にも応用可能であることは勿論である。
【００５３】
また、実施の形態１では、Ｕ形ヘッダー１１及びＦ形分岐ヘッダー１０について説明したが、これに限らず、例えば、図１６に示すように、分岐部１４が１８０度対称に設置されていてもよく、また、図１７に示すように、９０度対称に設置されていてもよい。さらに、分岐部１４の設置個所、設置数は、用途に応じて任意に増加・減少してもよい。
【００５４】
また、実施の形態１では、キャップ１６（１１６）は、係合部４０の弾性変形によって、Ｕ形ヘッダー１１、Ｆ形分岐ヘッダー１０にワンタッチで取り付けられる形状のものについて説明したが、これに限らず、本発明では、例えば、図１２に示すように、キャップ２１６は、内壁に形成された螺子１１７と、開口部１１５の外周に形成された螺子１３１とを螺合させることによって、ヘッダーに取り付けてもよい。
【００５５】
そしてまた、継手７０の配管側連結部７３の径を変更することで、径の異なる配管等との連結も容易に行うことができる。
【００５６】
（実施の形態２）
次に、本発明の実施の形態２に係るヘッダーについて図面を参照して説明する。なお、実施の形態２では、実施の形態１に係るヘッダーと同様の部品には、同一符号を付しその詳細な説明は省略する。
【００５７】
図１３は、本発明の実施の形態２に係るＵ形ヘッダーの側面図、図１４及び図１５は、図１３に示すＵ形ヘッダーに連結される継手の正面図である。
【００５８】
実施の形態２に係るＵ形ヘッダー２１１と、実施の形態１に係るＵ形ヘッダー１１との異なる点は、流体導入部及び分岐部の形状である。
【００５９】
実施の形態２に係るＵ形ヘッダー２１１の流体導入部２１３及び分岐部２１４は、互いに同様の形状を備えており、本体１２に連通された中空円筒形の管部２２１と、管部２２１の先端に設けられたフランジ２５７とを備えている。また、フランジ２１７には、後に詳述する継手１７０の係合部１７１に形成された係合爪１７２が係合する。
【００６０】
継手１７０は、一方の端部に、Ｕ形ヘッダー２１１に連結される連結部２７２が形成されている。この連結部２７２は、流体導入部２１３内に収容されて、開口１８を密閉する栓部２４２と、この栓部２４２を挟んだ両側に形成された係合部１７１から構成されており、この栓部２４２及び係合部１７１は、キャップ１６（１１６）の栓部４２及び係合部４０と同様の形状を備えている。なお、符号１７２は係合爪、符号２４３及び２４４はフランジである。一方、継手１７０の他方の先端には、継手７０と同様の配管側連結部７３が形成されている。
【００６１】
なお、継手は、図１４に示す構造の他、図１５に示すような形状のものであってもよい。図１５に示す継手は、両側に前述した連結部２７２が形成されたものである。
【００６２】
また、実施の形態２では、互いの径の大きさを合わせれば、例えば、図７に示した構造のキャップ１１６を、流体導入部２１３や分岐部２１４に対する継手として使用することもできる。
【００６３】
そしてまた、図１５に示す継手は、両側に連結部２７２が形成された、いわゆるオス−オス構造を有しているが、これに限らず、例えば、一方を連結部２７２とし、他方を管部２２１や連結部７２のようにした、いわゆるオス−メス構造としてもよい。
【００６４】
なお、実施の形態２に係るヘッダーにも、螺子式のキャップを取り付けてもよいことは勿論である。
【００６５】
また、実施の形態１及び２では、流体として温水を使用した場合について説明したが、これに限らず、流体としては、冷水、温水、不凍液、流体熱媒、蒸気、またはこれらの組み合わせ等、任意に選択することができる。
【００６６】
そしてまた、実施の形態１及び２では、ヘッダーを床暖房システムに使用した場合について説明したが、これに限らず、本発明に係るヘッダーは、温水器、温水式エアコン、温水式浴室乾燥機、温水式衣類乾燥機、温水式パネルヒータ等、様々な用途に使用することが可能である。
【００６７】
【発明の効果】
以上説明したように、本発明に係るヘッダーは、流体導入部及び分岐部とは別の開口部を有し、当該開口部を密閉可能なキャップを着脱可能に設け、前記本体、流体導入部及び分岐部を樹脂から構成したため、前記ヘッダーを成形加工により得ることができると共に、成形加工時に、前記開口を金型の引抜き用の穴として使用することができる。このため、例えば、Ｕ形ヘッダーであっても、本体と流体導入部及び分岐部を一体成形することができる。この結果、製造コストを削減することができ、リサイクルが可能であり、軽量で機械的強度及び耐衝撃性に優れ、水漏れ等のない信頼性の高いヘッダーを提供することができる。
【００６８】
また、キャップまたは本体のいずれかに段部を設け、他方にこの段部に係合する係合部を設けることで、別の固定部材を使用することなく、両者を確実に固定することができる。
【００６９】
そしてまた、ヘッダーまたはこれに連結される継手のいずれかに段部を設け、他方にこの段部に係合する係合部を設けることで、別の固定部材を使用することなく、両者を確実に固定することができる。この結果、現場での作業効率を大幅に向上することができる。
【図面の簡単な説明】
【図１】本発明の実施の形態１に係るヘッダーを床暖房システムの床暖房マットに使用した状態を模式的に示す平面図である。
【図２】図１に示すＵ形ヘッダーの側面図であって、キャップを外した状態を示す図である。
【図３】図２に示すＵ形ヘッダーの開口部にキャップを装着した状態を示す側面図である。
【図４】図２及び図３に示すキャップの平面図である。
【図５】図２に示すＶ−Ｖ線に沿った断面図である。
【図６】図３に示すVI−VI線に沿った一部断面図である。
【図７】実施の形態１に係る継手の平面図である。
【図８】図２に示すＵ形ヘッダーの開口部に、図７に示す継手を装着した状態を示す側面図である。
【図９】図２に示すＵ形ヘッダーの分岐部に継手を連結した状態を示す側面図である。
【図１０】図９に示す継手の正面図である。
【図１１】図１に示すＦ形分岐ヘッダーの側面図である。
【図１２】本発明の他の実施の形態に係るヘッダーの一部と、キャップを示す断面図である。
【図１３】  本発明の実施の形態２に係るＵ形ヘッダーの側面図である。
【図１４】図１３に示すＵ形ヘッダーに連結される継手の正面図である。
【図１５】図１３に示すＵ形ヘッダーに連結される継手の正面図である。
【図１６】本発明の他の実施の形態に係るヘッダーの側面図である。
【図１７】本発明の他の実施の形態に係るヘッダーの側面図である。
【符号の説明】
１    床暖房システム
１０    Ｆ形分岐ヘッダー
１１    Ｕ形ヘッダー
１２    本体
１３    流体導入部
１４    分岐部
１５    開口部
１６、１１６、２１６    キャップ
１８    開口
２２、４０、１７１    係合部
２６、４１、１７２    係合爪
２３、７１、１２８、２５７    フランジ
７０、１７０    継手
【図１】
0004124860.tif 000002
【図２】
0004124860.tif 000003
【図３】
0004124860.tif 000004
【図４】
0004124860.tif 000005
【図５】
0004124860.tif 000006
【図６】
0004124860.tif 000007
【図７】
0004124860.tif 000008
【図８】
0004124860.tif 000009
【図９】
0004124860.tif 000010
【図１０】
0004124860.tif 000011
【図１１】
0004124860.tif 000012
【図１２】
0004124860.tif 000013
【図１３】
0004124860.tif 000014
【図１４】
0004124860.tif 000015
【図１５】
0004124860.tif 000016
【図１６】
0004124860.tif 000017
【図１７】
0004124860.tif 000018